(57)【要約】      （修正有）【課題】ボードコネクタモジュールの提供。【解決手段】相互に接合されるプラグコネクタ２とソケットコネクタ３を具え、それぞれが異なる回路板に組付けられて電気信号の接続を提供し、該プラグコネクタとソケットコネクタの第１、２本体２０，３０にそれぞれパッド２１，３１が半田付けされ、それはソルダー面２０２，２１０，２２４，３０２，３１０、接合面２１１，３１１及びソルダー面と接合面を接続する連接面２１２，３１２を具え、第１、２本体の側縁に挟む。回路板との安定した半田付けを提供する。また、プラグコネクタとソケットコネクタの相互に接続される第１、２端子２２，３２は、低挿入力、高い抜き取り力、及び脱落防止の機能を具えている。【選択図】図１
0003105467.tif 000002
【実用新案登録請求の範囲】
【請求項１】
ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは、第１本体と第１端子を具え、
該第１本体は扁平長方形体とされ、接続面とソルダー面を具え、該接続面にソルダー面を貫通する複数の第１収容孔が凸設され、該第１収容孔に隣接する対応面の側縁にそれぞれソルダーパッドが設けられ、該ソルダーパッドはソルダー面、接合面、及びソルダー面と接合面を接続する連接面を具え、
該第１端子は加圧成形で形成され、第１収容孔に組付けられ、直立接触面と水平ソルダー面を具え、
該ソケットコネクタは第２本体と第２端子を具え、
該第２本体は扁平長方形体とされ、接続面とソルダー面を具え、接続面の中央に接続溝が設けられ、該接続溝は二つの長軸面と二つの短軸面を具え、該接続溝の二つの長軸面にソルダー面を貫通する複数の第２収容孔が設けられ、且つ第２収容孔に隣接する対応面の側縁にそれぞれソルダーパッドが設けられ、該ソルダーパッドはソルダー面、接合面、及びソルダー面と接合面を接続する連接面を具え、
該第２端子は加圧成形で形成され、第２収容孔に組付けられ、相互に対応する接触アームと干渉アーム、及び干渉アームの一端より延伸されて回路板に半田付けされるソルダーアームを具え、
該第１本体と第２本体に設置されるソルダーパッドが大きな半田付け面積を提供し、プラグコネクタとソケットコネクタを回路板と強固に半田付けして一体となすことができることを特徴とする、ボードコネクタモジュール。
【請求項２】
請求項１記載のボードコネクタモジュールにおいて、第１本体と第２本体のソルダーパッドのソルダー面が全サイズを以て第１本体の側縁を遮蔽し、大きな半田付け面積を提供することを特徴とする、ボードコネクタモジュール。
【請求項３】
請求項２記載のボードコネクタモジュールにおいて、第１本体のソルダーパッドの連接面がソルダー面の中央近くより延伸され、且つ接合面が連接面と同じ幅を以て延伸されたことを特徴とする、ボードコネクタモジュール。
【請求項４】
請求項３記載のボードコネクタモジュールにおいて、接合面の対応辺に位置決め切欠きが設けられ、第１本体の接続面の対応部分に係止柱が設けられて相互に係合し、脱落防止されたことを特徴とする、ボードコネクタモジュール。
【請求項５】
請求項２記載のボードコネクタモジュールにおいて、第２本体のソルダーパッドの連接面と接合面がソルダーパッドと同じ面積を以て延伸されたことを特徴とする、ボードコネクタモジュール。
【請求項６】
請求項５記載のボードコネクタモジュールにおいて、連接面に嵌め口が設けられ、第２本体にこれに対応して設けられた係止ブロックと係合し、脱落防止され、また、ソルダー面と接合面の両側に位置決め孔が設けられ、これら位置決め孔に対応する第２本体に組付け孔が設けられ、第１本体に位置決め柱が設けられ、ソルダーパッドと第２本体が一体に組付けられたことを特徴とする、ボードコネクタモジュール。
【請求項７】
請求項１記載のボードコネクタモジュールにおいて、第１端子の接触面の一側に係合部が設けられ、且つ端部に案内面が設けられたことを特徴とする、ボードコネクタモジュール。
【請求項８】
請求項７記載のボードコネクタモジュールにおいて、第２端子の干渉アームは直立設置され、干渉体を具え、該接触アームは連接部と接触部を具え、該連接部は干渉アームの底端より水平にある長さを以て延伸され、並びに折り曲げられた後に傾斜するよう上向きに延伸され更に折り曲げられて接触部と接続され、該接触部の端部に案内角度が小さい斜面が設けられ、接続時の低挿入力を提供することを特徴とする、ボードコネクタモジュール。
【請求項９】
ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは、第１本体と第１端子を具え、
該第１本体は扁平長方形体とされ、接続面とソルダー面を具え、該接続面にソルダー面を貫通する複数の第１収容孔が凸設され、
該第１端子は加圧成形で形成され、第１収容孔に組付けられ、直立接触面を具え、その一側に係合部が設けられ、且つ接触面の端部に案内面を具えて接続時の案内を行ない、また、接触面と反対の一側の底端よりソルダー面が水平に延伸され、
該ソケットコネクタは第２本体と第２端子を具え、
該第２本体は扁平長方形体とされ、接続面とソルダー面を具え、接続面の中央に接続溝が設けられ、該接続溝は二つの長軸面と二つの短軸面を具え、該接続溝の二つの長軸面にソルダー面を貫通する複数の第２収容孔が設けられ、
該第２端子は加圧成形で形成され、第２収容孔に組付けられ、相互に対応する接触アームと干渉アーム、及び干渉アームの一端より延伸されて回路板に半田付けされるソルダーアームを具え、該干渉アームは直立設置され、干渉体を具え、該接触アームは連接部と接触部を具え、該連接部が干渉アームの底端より水平にある長さを以て延伸され、並びに折り曲げ後に斜めに上向きに延伸された後に更に折り曲げられて接触部と接続され、該接触部の端部に案内角度が小さい斜面が設けられて接続時の低挿入力を提供することを特徴とする、ボードコネクタモジュール。
【請求項１０】
請求項９記載のボードコネクタモジュールにおいて、第１端子の接触面の係合部が適当な距離を保持した二つの凸円弧で構成されたことを特徴とする、ボードコネクタモジュール。
【請求項１１】
ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは、第１本体を具え、該第１本体にソルダーパッドが設けられ、該ソルダーパッドは第１本体の対応する両側面に組付けられて、導電端子を収容する側面に隣接し、該ソルダーパッドはソルダー面、接合面、及びソルダー面と接合面を接続する連接面を具え、第１本体の側縁を挟むことを特徴とする、ボードコネクタモジュール。
【請求項１２】
請求項１１記載のボードコネクタモジュールにおいて、ソルダーパッドのソルダー面が全サイズを以て第１本体の側縁を遮蔽し、大きな半田付け面積を提供することを特徴とする、ボードコネクタモジュール。
【請求項１３】
請求項１２記載のボードコネクタモジュールにおいて、ソルダーパッドの連接面がソルダー面の中央近くより延伸され、且つ接合面が連接面と同じ幅を以て延伸されたことを特徴とする、ボードコネクタモジュール。
【請求項１４】
請求項１３記載のボードコネクタモジュールにおいて、接合面の対応辺に位置決め切欠きが設けられ、第１本体の接続面の対応部分に係止柱が設けられて相互に係合し、脱落防止されたことを特徴とする、ボードコネクタモジュール。
【請求項１５】
ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該ソケットコネクタは、第２本体を具え、該第２本体にソルダーパッドが設けられ、該ソルダーパッドは第２本体の対応する両側面に組付けられて、導電端子を収容する側面に隣接し、該ソルダーパッドはソルダー面、接合面、及びソルダー面と接合面を接続する連接面を具え、第２本体の側縁を挟むことを特徴とする、ボードコネクタモジュール。
【請求項１６】
請求項１５記載のボードコネクタモジュールにおいて、ソルダーパッドのソルダー面が全サイズを以て第２本体の側縁を遮蔽し、大きな半田付け面積を提供することを特徴とする、ボードコネクタモジュール。
【請求項１７】
請求項１６記載のボードコネクタモジュールにおいて、ソルダーパッドの連接面がソルダー面の中央近くより延伸され、且つ連接面と接合面がソルダー面と同じ面積を以て延伸されたことを特徴とする、ボードコネクタモジュール。
【請求項１８】
請求項１７記載のボードコネクタモジュールにおいて、連接面に嵌め口が設けられ、第２本体にこれに対応して設けられた係止ブロックと係合して脱落防止し、またソルダー面と接合面の両側に位置決め孔が設けられ、第２本体にあってこれら位置決め孔に対応する位置に組付け孔が設けられたことを特徴とする、ボードコネクタモジュール。
【請求項１９】
ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該ソケットコネクタは、第２端子を具え、該第２端子が加圧成形で形成され、相互に対応する接触アームと干渉アーム、及び干渉アームの一端より延伸されて回路板に半田付けされるソルダーアームを具え、該干渉アームは直立設置され、干渉体を具え、該接触アームは連接部と接触部を具え、該連接部が干渉アームの底端より水平にある長さを以て延伸され、並びに折り曲げ後に斜めに上向きに延伸された後に更に折り曲げられて接触部と接続され、該接触部の端部に案内角度が小さい斜面が設けられて接続時の低挿入力を提供することを特徴とする、ボードコネクタモジュール。
【請求項２０】
ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは第１端子を具え、該第１端子は加圧成形で形成され、第１収容孔に組付けられ、直立接触面を具え、その一側に係合部が設けられ、且つ接触面の端部に案内面があり、接続時の案内を形成し、また、接触面と反対の一側の底縁より水平にソルダー面が延伸されたことを特徴とする、ボードコネクタモジュール。
【請求項２１】
請求項２０記載のボードコネクタモジュールにおいて、第１端子の接触面の係合部は所定の距離を保持する二つの凸円弧で構成されたことを特徴とする、ボードコネクタモジュール。
【考案の詳細な説明】
【技術分野】
【０００１】
本考案は一種のボードコネクタモジュールに係り、特に薄型で、回路板と強固に半田付けされ、低挿入力、高抜き取り力を具え、接続後の脱落防止の機能を具えたボード対ボードのコネクタアセンブリに関する。
【背景技術】
【０００２】
回路板に組付けられて別の回路板のコネクタとの接続に供されるボードコネクタモジュールは、ソケットコネクタとプラグコネクタを具え、関係する構造には、例えば特許文献１−４がある。このようなボードコネクタモジュールは軽量、薄型で小型の設計傾向にあり、全体体積が薄型とされるほか、コネクタ内に組付けられる導電端子にも小型化と機能アップが求められる。且つ高周波伝送の要求のもと、導電端子の数量が増加し、これにより、回路板の半田付け或いは導電端子相互間の接続の安定性はいずれも設計のポイントとなっている。しかし、このような周知のボードコネクタモジュールは以下のような欠点があり、改善が求められている。
１．回路板の半田付けの安定性が不十分である。即ち、前述の周知の特許文献１に記載のボードコネクタモジュールは、ソケットコネクタとプラグコネクタにソルダーパッドが設けられ、回路板との半田付けの強度が増されているが、ソルダーパッドは小面積の平板状で設置され、ソルダー面積が小さく、結合の安定性が低く、且つ偏移と水平度の問題を形成しやすく、製品の品質に影響を与えた。
２．接続時の挿入力が大きい。即ち、前述の特許文献２と特許文献３のボードコネクタアセンブリは、接続される導電端子に係合の構造が設けられているが、特許文献２ではそのソケットコネクタの導電端子の接触部が逆Ｕ形に設置され、接続の行程が長く必要な挿入力が大きくなる。また特許文献３の接続行程は比較的短いが、その接触部の撓み性が横向きのＵ形部分に集中するため、挿入力が相当に大きくなる。
３．全体構造が小型化に適合しない。即ち、特許文献２は、ソケットコネクタの導電端子のＵ形接触部が接続時の緩衝弾性を提供できるようにするために、干渉部とある距離を保持するものとされ、このため、横向き体積を縮小できず、且つＵ形体の制限により有効に薄型化できず、ますます高まる小型化の設計要求に符合しない。
【０００３】
【特許文献１】米国実用新案登録第５，１９９，８８４号明細書
【特許文献２】米国実用新案登録第５，２２４，８８６号明細書
【特許文献３】米国実用新案登録第５，９２１，７８７号明細書
【特許文献４】米国実用新案登録第５，９７５，９１６号明細書
【考案の開示】
【考案が解決しようとする課題】
【０００４】
本考案の目的は、一種のボードコネクタモジュールを提供することにあり、それは、回路板と強固に半田付けされ、且つ相互に接続される導電端子の構造が小型化の設計に対応でき、且つ相互接続時に有効に係合できるボードコネクタモジュールであるものとする。
【課題を解決するための手段】
【０００５】
請求項１の考案は、ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは、第１本体と第１端子を具え、
該第１本体は扁平長方形体とされ、接続面とソルダー面を具え、該接続面にソルダー面を貫通する複数の第１収容孔が凸設され、該第１収容孔に隣接する対応面の側縁にそれぞれソルダーパッドが設けられ、該ソルダーパッドはソルダー面、接合面、及びソルダー面と接合面を接続する連接面を具え、
該第１端子は加圧成形で形成され、第１収容孔に組付けられ、直立接触面と水平ソルダー面を具え、
該ソケットコネクタは第２本体と第２端子を具え、
該第２本体は扁平長方形体とされ、接続面とソルダー面を具え、接続面の中央に接続溝が設けられ、該接続溝は二つの長軸面と二つの短軸面を具え、該接続溝の二つの長軸面にソルダー面を貫通する複数の第２収容孔が設けられ、且つ第２収容孔に隣接する対応面の側縁にそれぞれソルダーパッドが設けられ、該ソルダーパッドはソルダー面、接合面、及びソルダー面と接合面を接続する連接面を具え、
該第２端子は加圧成形で形成され、第２収容孔に組付けられ、相互に対応する接触アームと干渉アーム、及び干渉アームの一端より延伸されて回路板に半田付けされるソルダーアームを具え、
該第１本体と第２本体に設置されるソルダーパッドが大きな半田付け面積を提供し、プラグコネクタとソケットコネクタを回路板と強固に半田付けして一体となすことができることを特徴とする、ボードコネクタモジュールとしている。
請求項２の考案は、請求項１記載のボードコネクタモジュールにおいて、第１本体と第２本体のソルダーパッドのソルダー面が全サイズを以て第１本体の側縁を遮蔽し、大きな半田付け面積を提供することを特徴とする、ボードコネクタモジュールとしている。
請求項３の考案は、請求項２記載のボードコネクタモジュールにおいて、第１本体のソルダーパッドの連接面がソルダー面の中央近くより延伸され、且つ接合面が連接面と同じ幅を以て延伸されたことを特徴とする、ボードコネクタモジュールとしている。
請求項４の考案は、請求項３記載のボードコネクタモジュールにおいて、接合面の対応辺に位置決め切欠きが設けられ、第１本体の接続面の対応部分に係止柱が設けられて相互に係合し、脱落防止されたことを特徴とする、ボードコネクタモジュールとしている。
請求項５の考案は、請求項２記載のボードコネクタモジュールにおいて、第２本体のソルダーパッドの連接面と接合面がソルダーパッドと同じ面積を以て延伸されたことを特徴とする、ボードコネクタモジュールとしている。
請求項６の考案は、請求項５記載のボードコネクタモジュールにおいて、連接面に嵌め口が設けられ、第２本体にこれに対応して設けられた係止ブロックと係合し、脱落防止され、また、ソルダー面と接合面の両側に位置決め孔が設けられ、これら位置決め孔に対応する第２本体に組付け孔が設けられ、第１本体に位置決め柱が設けられ、ソルダーパッドと第２本体が一体に組付けられたことを特徴とする、ボードコネクタモジュールとしている。
請求項７の考案は、請求項１記載のボードコネクタモジュールにおいて、第１端子の接触面の一側に係合部が設けられ、且つ端部に案内面が設けられたことを特徴とする、ボードコネクタモジュールとしている。
請求項８の考案は、請求項７記載のボードコネクタモジュールにおいて、第２端子の干渉アームは直立設置され、干渉体を具え、該接触アームは連接部と接触部を具え、該連接部は干渉アームの底端より水平にある長さを以て延伸され、並びに折り曲げられた後に傾斜するよう上向きに延伸され更に折り曲げられて接触部と接続され、該接触部の端部に案内角度が小さい斜面が設けられ、接続時の低挿入力を提供することを特徴とする、ボードコネクタモジュールとしている。
請求項９の考案は、ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは、第１本体と第１端子を具え、
該第１本体は扁平長方形体とされ、接続面とソルダー面を具え、該接続面にソルダー面を貫通する複数の第１収容孔が凸設され、
該第１端子は加圧成形で形成され、第１収容孔に組付けられ、直立接触面を具え、その一側に係合部が設けられ、且つ接触面の端部に案内面を具えて接続時の案内を行ない、また、接触面と反対の一側の底端よりソルダー面が水平に延伸され、
該ソケットコネクタは第２本体と第２端子を具え、
該第２本体は扁平長方形体とされ、接続面とソルダー面を具え、接続面の中央に接続溝が設けられ、該接続溝は二つの長軸面と二つの短軸面を具え、該接続溝の二つの長軸面にソルダー面を貫通する複数の第２収容孔が設けられ、
該第２端子は加圧成形で形成され、第２収容孔に組付けられ、相互に対応する接触アームと干渉アーム、及び干渉アームの一端より延伸されて回路板に半田付けされるソルダーアームを具え、該干渉アームは直立設置され、干渉体を具え、該接触アームは連接部と接触部を具え、該連接部が干渉アームの底端より水平にある長さを以て延伸され、並びに折り曲げ後に斜めに上向きに延伸された後に更に折り曲げられて接触部と接続され、該接触部の端部に案内角度が小さい斜面が設けられて接続時の低挿入力を提供することを特徴とする、ボードコネクタモジュールとしている。
請求項１０の考案は、請求項９記載のボードコネクタモジュールにおいて、第１端子の接触面の係合部が適当な距離を保持した二つの凸円弧で構成されたことを特徴とする、ボードコネクタモジュールとしている。
請求項１１の考案は、ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは、第１本体を具え、該第１本体にソルダーパッドが設けられ、該ソルダーパッドは第１本体の対応する両側面に組付けられて、導電端子を収容する側面に隣接し、該ソルダーパッドはソルダー面、接合面、及びソルダー面と接合面を接続する連接面を具え、第１本体の側縁を挟むことを特徴とする、ボードコネクタモジュールとしている。
請求項１２の考案は、請求項１１記載のボードコネクタモジュールにおいて、ソルダーパッドのソルダー面が全サイズを以て第１本体の側縁を遮蔽し、大きな半田付け面積を提供することを特徴とする、ボードコネクタモジュールとしている。
請求項１３の考案は、請求項１２記載のボードコネクタモジュールにおいて、ソルダーパッドの連接面がソルダー面の中央近くより延伸され、且つ接合面が連接面と同じ幅を以て延伸されたことを特徴とする、ボードコネクタモジュールとしている。
請求項１４の考案は、請求項１３記載のボードコネクタモジュールにおいて、接合面の対応辺に位置決め切欠きが設けられ、第１本体の接続面の対応部分に係止柱が設けられて相互に係合し、脱落防止されたことを特徴とする、ボードコネクタモジュールとしている。
請求項１５の考案は、ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該ソケットコネクタは、第２本体を具え、該第２本体にソルダーパッドが設けられ、該ソルダーパッドは第２本体の対応する両側面に組付けられて、導電端子を収容する側面に隣接し、該ソルダーパッドはソルダー面、接合面、及びソルダー面と接合面を接続する連接面を具え、第２本体の側縁を挟むことを特徴とする、ボードコネクタモジュールとしている。
請求項１６の考案は、請求項１５記載のボードコネクタモジュールにおいて、ソルダーパッドのソルダー面が全サイズを以て第２本体の側縁を遮蔽し、大きな半田付け面積を提供することを特徴とする、ボードコネクタモジュールとしている。
請求項１７の考案は、請求項１６記載のボードコネクタモジュールにおいて、ソルダーパッドの連接面がソルダー面の中央近くより延伸され、且つ連接面と接合面がソルダー面と同じ面積を以て延伸されたことを特徴とする、ボードコネクタモジュールとしている。
請求項１８の考案は、請求項１７記載のボードコネクタモジュールにおいて、連接面に嵌め口が設けられ、第２本体にこれに対応して設けられた係止ブロックと係合して脱落防止し、またソルダー面と接合面の両側に位置決め孔が設けられ、第２本体にあってこれら位置決め孔に対応する位置に組付け孔が設けられたことを特徴とする、ボードコネクタモジュールとしている。
請求項１９の考案は、ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該ソケットコネクタは、第２端子を具え、該第２端子が加圧成形で形成され、相互に対応する接触アームと干渉アーム、及び干渉アームの一端より延伸されて回路板に半田付けされるソルダーアームを具え、該干渉アームは直立設置され、干渉体を具え、該接触アームは連接部と接触部を具え、該連接部が干渉アームの底端より水平にある長さを以て延伸され、並びに折り曲げ後に斜めに上向きに延伸された後に更に折り曲げられて接触部と接続され、該接触部の端部に案内角度が小さい斜面が設けられて接続時の低挿入力を提供することを特徴とする、ボードコネクタモジュールとしている。
請求項２０の考案は、ボードコネクタモジュールにおいて、該ボードコネクタモジュールは、相互に接続されるプラグコネクタとソケットコネクタを具え、該プラグコネクタとソケットコネクタはそれぞれ異なる回路板に組付けられて電気信号の接続に供され、該プラグコネクタは第１端子を具え、該第１端子は加圧成形で形成され、第１収容孔に組付けられ、直立接触面を具え、その一側に係合部が設けられ、且つ接触面の端部に案内面があり、接続時の案内を形成し、また、接触面と反対の一側の底縁より水平にソルダー面が延伸されたことを特徴とする、ボードコネクタモジュールとしている。
請求項２１の考案は、請求項２０記載のボードコネクタモジュールにおいて、第１端子の接触面の係合部は所定の距離を保持する二つの凸円弧で構成されたことを特徴とする、ボードコネクタモジュールとしている。
【考案の効果】
【０００６】
本考案のボードコネクタモジュールは、回路板と強固に半田付けされ、且つ相互に接続される導電端子の構造が小型化の設計に対応でき、且つ相互接続時に有効に係合できるボードコネクタモジュールである。
【考案を実施するための最良の形態】
【０００７】
本考案のボードコネクタモジュールは、プラグコネクタとソケットコネクタを具えている。
【０００８】
該プラグコネクタは第１本体を具え、それにソルダーパッドが設けられ、該ソルダーパッドは第１本体の相互に対応する両側面に組付けられて、導電端子を収容する側面に隣接し、それはソルダー面、接合面及びソルダー面と接合面を接続する連接面を具え、第１本体の側縁を挟む。またソケットコネクタにもソルダー面、接合面及び連接面を具えたソルダーパッドが設けられ、ソケットコネクタの第２本体の側縁を挟む。
【０００９】
該ソケットコネクタの導電端子には加圧成形が採用され、相互に対応する接触アームと干渉アーム、及び干渉アームの一端より延伸されて回路板と半田付けされるソルダーアームを具え、該干渉アームは直立設置され、干渉体を具え、該接触アームは連接部と接触部を具え、該連接部は干渉アームの底端より水平にある長さを以て延伸され、並びに折り曲げられた後に上向きに傾斜するよう延伸されて更に接触部と接続されている。該接触部の端部に案内角度が小さい斜面が設けられ、低挿入力で接続が行なえる作用を提供する。
【００１０】
また、該プラグコネクタの導電端子には加圧成形が採用され、直立接触面を具え、その一側に係合部が設けられ、且つ該接触面の端部に案内面が設けられ、接続時の案内を行ない、また、接触面と反対の一側の底端より水平にソルダー面が延伸されている。
【００１１】
該プラグコネクタの導電端子の係合部とソケットコネクタの導電端子の接触部の斜面により、低挿入力、高抜き取り力の接続形式が提供される。
【実施例１】
【００１２】
図１を参照されたい。本考案のボードコネクタモジュール１は、相互に接続されるプラグコネクタ２とソケットコネクタ３を具え、それらはそれぞれ異なる回路板（図示せず）に組付けられて電気信号を接続を提供する。
【００１３】
該プラグコネクタ２は図２から図６に示されるように、第１本体２０、ソルダーパッド２１及び第１端子２２を具えている。そのうち、第１本体２０は扁平な長方形とされ、接続面２０１とソルダー面２０２を具え、接続面２０１にソルダー面２０２を貫通する複数の第１収容孔２０３が凸設され、第１端子２２を収容する。また、接続面２０１の四つの角部に位置決め柱２３が設けられている。また、第１収容孔２０３に隣接する対応面の側縁にそれぞれソルダーパッド２１が設けられ、図６に示されるように、それはソルダー面２１０、接合面２１１及びソルダー面２１０と接合面２１１を接続する連接面２１２を具えている。そのうち連接面２１２はソルダー面２１０の中央近くより延伸され、且つ接合面２１１は連接面２１２と同じ幅を以て延伸設置されている。また、該接合面２１１の反対辺に位置決め切欠き２１４が設けられ、図４も参照されたいが、該位置決め切欠き２１４は第１本体２０の接続面２０１の係止柱２１５と係合し、前後方向の脱落を防止する。
【００１４】
第１端子２２は図５に示されるように、加圧成形され、第１収容孔２０３に組付けられ、直立接触面２２１を具え、その一側に係合部が設けられ、適宜距離を保持する二つの凸円弧２２２で組成されている。且つ該接触面２２１の端部に案内面２２３があり、接続時の案内を行なう。また、相互に対応する接触面２２１の一側の底端より水平にソルダー面２２４が延伸されて表面実装に供される。
【００１５】
該ソケットコネクタ３は、図１と図７から図９に示されるように、第２本体３０、ソルダーパッド３１及び第２端子３２を具えている。そのうち、第２本体３０は扁平長方形体とされ、接続面３０１とソルダー面３０２を具え、接続面３０１の中央に接続溝３０３が設けられ、それは二つの長軸面３０４と二つの短軸面３０５を具え、該接続溝３０３の二つの長軸面３０４にそれぞれソルダー面３０２を貫通する複数の第２収容孔３０６が設けられ、第２端子３２を収容する。また、第２本体３０の四つの角部に接続面３０１とソルダー面３０２を貫通する組付け孔３３が設けられて、第１本体２０の位置決め柱２３の組付けに供される。また、第２収容孔３０６に隣り合う対応面の側縁にソルダーパッド３１が設けられ、図９に示されるように、それはソルダー面３１０、接合面３１１及びソルダー面３１０と接合面３１１を接続する連接面３１２を具えている。そのうち、連接面３１２と接合面３１１はソルダー面３１０と同じ面積を以て延伸され、且つ、連接面３１２に嵌め口３１３が設けられて第２本体３０の係止ブロック３０７が嵌合され、脱落を防止する。また、ソルダー面３１０と接合面３１１の両側に位置決め孔３４が設けられ、それは、第２本体３０の組付け孔３３に対応し、前述の第１本体２０の位置決め柱２３が挿通され、ソルダーパッド３１と第２本体３０が組付けられて一体とされる。
【００１６】
第２端子３２は、図８に示されるように、加圧成形され、第２収容孔３０６に組付けられ、相互に対応する接触アーム３２１と干渉アーム３２２、及び干渉アーム３２２の一端より延伸されて回路板（図示せず）に半田付けされるソルダーアーム３２３を具えている。そのうち、干渉アーム３２２は直立設置され、干渉体３２４を具え、該接触アーム３２１は連接部３２５と接触部３２６を具え、該連接部３２５は干渉アーム３２２の底端より水平にある長さを以て延伸され、並びに折り曲げられた後に傾斜するよう上向きに延伸され更に折り曲げられて接触部３２６と接続され、該接触部３２６の端部に案内角度が小さい斜面３２７が設けられ、接続時の低挿入力を提供する。
【００１７】
続いて図１０の本考案のボードコネクタモジュール１のプラグコネクタ２とソケットコネクタ３の接続の表示図を参照されたい。図示されるように、第２端子３２は接触部３２６の斜面３２７は小角度を以て案内により第１端子２２と接続され、これにより、順調に案内する効果のほか、接続時の挿入力を減らすことができる。また、接続の後、該第２端子３２の接触部３２６は第１端子２２の凸円弧２２２と係合し、脱落しない。抜き取る時は、第１端子２２が第２端子３２の接触部３２６が圧縮により保存したエネルギーを克服しなければならないため、大きな力で抜き取らねばならない。ゆえに、低挿入力、高抜き取り力を提供し、また接続後の脱落防止の効果を提供する。また、図１１に示されるように、本考案のボードコネクタモジュール１のプラグコネクタ２とソケットコネクタ３にはいずれもソルダー面２１０、３１０、接合面２１１、３１１、及び連接面２１２、３１２を具えたソルダーパッド２１、３１が設置され、有効に第１、２本体２０、３０の側縁を挟み、回路板との安定した半田付けの効果を提供できる。
【００１８】
以上の説明は、本考案の実施例に係るものに過ぎず、本考案の請求範囲を限定するものではなく、本考案に基づきなしうる細部の修飾或いは改変は、いずれも本考案の請求範囲に属するものとする。
【図面の簡単な説明】
【００１９】
【図１】本考案のボードコネクタモジュールの立体分解図である。
【図２】図１中のプラグコネクタの立体組合せ図である。
【図３】図２の正面図である。
【図４】図２の底面図である。
【図５】図２の５−５断面図である。
【図６】図２の６−６断面図である。
【図７】図１中のソケットコネクタの立体組合せ図である。
【図８】図７の８−８断面図である。
【図９】図７の９−９断面図である。
【図１０】図５と図８の接続の表示図である。
【図１１】図６と図９の接続の表示図である。
【符号の説明】
【００２０】
１  ボードコネクタモジュール
２  プラグコネクタ
２０  第１本体                        ２１  ソルダーパッド
２２  第１端子                        ２３  位置決め柱
２０１  接続面                        ２０２  ソルダー面
２０３  第１収容孔                    ２１０  ソルダー面
２１１  接合面                        ２１２  連接面
２１４  位置決め切欠き                ２１５  係止柱
２２１  接触面                        ２２２  凸円弧
２２３  案内面                        ２２４  ソルダー面
３  ソケットコネクタ
３０  第２本体                        ３１  ソルダーパッド
３２  第２端子                        ３３  組付け孔
３４  位置決め孔
３０１  接続面                        ３０２  ソルダー面
３０３  接続溝                        ３０４  長軸面
３０５  短軸面                        ３０６  第２収容孔
３０７  係止ブロック                  ３１０  ソルダー面
３１１  接合面                        ３１２  連接面
３１３  嵌め口                        ３２１  接触アーム
３２２  干渉アーム                    ３２３  ソルダーアーム
３２４  干渉体                        ３２５  連接部
３２６  接触部                        ３２７  斜面
【図１】
0003105467.tif 000003
【図２】
0003105467.tif 000004
【図３】
0003105467.tif 000005
【図４】
0003105467.tif 000006
【図５】
0003105467.tif 000007
【図６】
0003105467.tif 000008
【図７】
0003105467.tif 000009
【図８】
0003105467.tif 000010
【図９】
0003105467.tif 000011
【図１０】
0003105467.tif 000012
【図１１】
0003105467.tif 000013